(57)【特許請求の範囲】
【請求項１】
可撓性を有するシート体によって半円球状に形成されたガス貯留テントと、このガス貯留テントの頂部に設けられた重錘と、ガス貯留テント内のガスを導出するガス導出配管とを備えてなるテント式ガス貯留装置であって、最大限に膨張したガス貯留テントの重錘より上方位置に当該重錘との間の距離を測定する距離測定装置が設けられ、
ガス貯留テントの上下方向に延びる中心線を同心としてガス貯留テントに載置してリング体が取り付けられ、リング体はガス貯留テントが収縮してガス貯留テントの生地がその外側からリング体を覆って内側に折るように変形しても、ガス貯留テントの生地が重錘に覆い被さらない径寸法に設定されていることを特徴とするテント式ガス貯留装置。
【請求項２】
前記ガス貯留テントが最大限に膨張した状態での当該ガス貯留テントの半径をＲとし、重錘の半径をＸとし、リング体の半径をＹとして、
Ｙ≧０．２８５Ｒ＋Ｘ
を満足するよう、ガス貯留テント、重錘、およびリング体の寸法が関係付けられていることを特徴とする請求項１記載のテント式ガス貯留装置。
【請求項３】
前記ガス貯留テントの外側には、当該ガス貯留テントに被さるように配設された複数のフレームからなる枠体が設けられ、この枠体に膜が張られていることを特徴とする請求項１または２記載のテント式ガス貯留装置。
【請求項４】
前記ガス導出配管は、ガス貯留テントの周方向に等ピッチで複数本が設けられていることを特徴とする請求項１乃至３のいずれかに記載のテント式ガス貯留装置。
【請求項５】
前記距離測定装置は、前記重錘に向けて超音波を発信し、重錘で反射した超音波を受信して発信時と受信時との時間差により距離を計算するように構成された超音波測距装置であることを特徴とする請求項１乃至４のいずれかに記載のテント式ガス貯留装置。
【発明の詳細な説明】
【０００１】
【発明の属する技術分野】
本発明は、例えば有機廃棄物の分解により生成したメタンガス等のいわゆるバイオガスの貯留に適したテント式ガス貯留装置に関するものである。
【０００２】
【従来の技術】
従来、有機廃棄物の分解により生成したメタンガス等のいわゆるバイオガスの貯留に適したテント式ガス貯留装置が知られている。このテント式ガス貯留装置は、円筒状外壁と、この円筒状壁体の上縁部に連接された可撓性を有する半球状のガス貯留テントとを備えた基本構成を有している。
【０００３】
上記円筒状壁体には、その内部に導通したガス導入配管とガス導出配管とが接続されており、ガス導入ポンプの駆動でバイオガスがガス導入配管を介して導入されることによりガス貯留テントが膨張する一方、ガス導出ポンプの駆動でバイオガスがガス導出配管を介して抜き出されることによりガス貯留テントが収縮するようになっている。
【０００４】
上記ガス貯留テントの頂部には重錘が設けられ、内部のバイオガスが導出されることによりガス貯留テントが縮むに際しては、この重錘が真っ直ぐに垂下するため、これに誘導されてガス貯留テントの萎み具合が定形的になり、見栄えがよくなる。
【０００５】
【発明が解決しようとする課題】
ところで、上記のような従来のテント式ガス貯留装置においては、貯留されているガスの量は、導入されたガス量から導出されたガス量を差し引くか、あるいはガス貯留テントの萎み具合を目視観察することによってしか知ることができなかった。
【０００６】
しかし、ガスの導入、導出の収支で貯留ガス量を計算する方法は、一見正確であるように見えるが、流量計に僅かでも誤差があると、この誤差が蓄積されて徐々に実際の貯留量からずれていくという不都合があるし、ガス貯留テントの萎み具合で貯留量を判断する方法は多くの経験を積んだ熟練者でないと採用することができないばかりか、たとえ熟練者であっても正確を期すことは困難であるという問題点が存在する。
【０００７】
本発明は、上記のような状況に鑑みなされたものであり、ガス貯留テント内に残留しているガスの量を常に正確に把握することができるテント式ガス貯留装置を提供することを目的としている。
【０００８】
【課題を解決するための手段】
本発明は、可撓性を有するシート体によって半円球状に形成されたガス貯留テントと、このガス貯留テントの頂部に設けられた重錘と、ガス貯留テント内のガスを導出するガス導出配管とを備えてなるテント式ガス貯留装置であって、最大限に膨張したガス貯留テントの重錘より上方位置に当該重錘との間の距離を測定する距離測定装置が設けられ、ガス貯留テントの上下方向に延びる中心線を同心としてガス貯留テントに載置してリング体が取り付けられ、リング体はガス貯留テントが収縮してガス貯留テントの生地がその外側からリング体を覆って内側に折るように変形しても、ガス貯留テントの生地が重錘に覆い被さらない径寸法に設定されていることを特徴とするものである。
【０００９】
この発明によれば、距離測定装置によって当該距離測定装置と重錘との間の距離が測定されるため、この測定された距離の大小によってガス貯留テントの容量を、従来の萎み具合を目視観察することによる目分量の測定に比べて精度よく計量することができる。特に距離測定装置により測定された距離とガス貯留テントの容量との関係式を予め求めておくことにより、測定された距離の値を関係式に代入して計算することによってその時点のガスの容量を正確に知ることができる。
【００１０】
このように、最大限に膨張したガス貯留テントの重錘より上方位置に当該重錘との間の距離を測定する距離測定装置を設けることにより、常にガス貯留テントに貯留されているガス量を正確に知ることができるため、この貯留ガス量に基いてガスの需給の調整を的確に行うことが可能になり、適正な需給バランスが確保される。また、この発明によれば、ガス貯留テントの収縮によっても当該ガス貯留テントの一部が重錘に覆い被さることがないようにリング体がガス貯留テントに同心で当該ガス貯留テントに載置されているため、重錘が萎んだガス貯留テントに覆われて距離測定不能になるような不都合が確実に防止される。
【００１１】
本発明のテント式ガス貯留装置では、上記距離測定装置は、上記重錘に向けて超音波を発信し、重錘で反射した超音波を受信して発信時と受信時との時間差により距離を計算するように構成された超音波測距装置である構成を採用することができる。
【００１２】
上記構成によれば、距離測定装置として超音波測距装置が採用されて非接触状態で超音波測距装置と重錘との間の距離を測定し得るようになっているため、距離測定装置と重錘との間をロープなどで連結してロープの引出し量から両者間の距離を測るようにしたものに比べてロープの絡みで測距が行い得なくなるような不都合が発生せず、常に正確に距離を測定することができる。
【００１３】
本発明のテント式ガス貯留装置では、前記ガス貯留テントが最大限に膨張した状態での当該ガス貯留テントの半径をＲとし、重錘の半径をＸとし、リング体の半径をＹとして、
Ｙ≧０．２８５Ｒ＋Ｘ
を満足するよう、ガス貯留テント、重錘、およびリング体の寸法が関係付けられている構成を採用することができる。
【００１５】
本発明のテント式ガス貯留装置では、上記ガス貯留テントの外側には、当該ガス貯留テントに被さるように配設された複数のフレームからなる枠体が設けられ、この枠体に膜が張られている構成を採用することができる。
【００１６】
この構成によれば、ガス貯留テントは、枠体に張られた膜内に収められていることにより、風などの気象状況に左右されずに安定するため、重錘が中心位置から外れて距離測定装置と重錘との間の離間距離が測定し得なくなるような不都合が回避される。
【００１７】
本発明のテント式ガス貯留装置では、上記ガス導出配管は、ガス貯留テントの周方向に等ピッチで複数本が設けられている構成を採用することができる。
【００１８】
この構成によれば、ガス貯留テントに貯留されているガスを導出するに際し、ガス導出配管がガス貯留テントの周方向に等ピッチで複数本が設けられていることにより、ガス貯留テントは、その内部において周方向で内部気流の偏在が生じるような不都合が防止されて周方向で均等に萎んでいくため、重錘が中心位置から外れて距離測定装置と重錘との間の離間距離が測定し得なくなるような不都合が回避される。
【００１９】
【発明の実施の形態】
図１および図２は、本発明に係るテント式ガス貯留装置の一実施形態を示す一部切欠き斜視図であり、図１は、ガス貯留テントが膨らんだ状態、図２は、ガス貯留テントが萎んだ状態をそれぞれ示している。また、図３は、図１のＡ−Ａ線断面図である。
【００２０】
これらの図に示すように、テント式ガス貯留装置１０は、金属製の基礎円筒体２０と、この基礎円筒体２０の上縁部から延設された複数本の円弧状フレーム３０と、この円弧状フレーム３０に張設されたドーム状の保護シート４０と、上記円弧状フレーム３０内で基礎円筒体２０の上縁部から延設されたドーム状のガス貯留テント５０と、このガス貯留テント５０の頂部に取り付けられた重錘円盤６０と、この重錘円盤６０に対向するように円弧状フレーム３０の頂部から垂下された超音波測距装置７０とを備えた基本構成を有している。基礎円筒体２０およびガス貯留テント５０内にガスを貯留するためのガス貯留室１１が形成されている。
【００２１】
上記基礎円筒体２０は、平面視で円形の底板２１と、この底板２１に同心で据え付けられた周壁２２とを備えて構成されている。周壁２２の下縁部には同心で下部フランジ２３が設けられているとともに、上縁部には同心で上部フランジ２４が設けられている。また、周壁２２の上下方向の略中央位置にはガス貯留室１１内にガスを導入するガス導入管２５が取り付けられているとともに、同上方位置にはガス貯留室１１内のガスを導出するためのガス導出部２６が取り付けられている。
【００２２】
上記ガス導入管２５には、ガス発生源８０から延設されたガス送出配管８１の下流端が接続されている。かかるガス送出配管８１には、ガス送出ブロワ８２が設けられているとともに、このガス送出ブロワ８２の下流側に切替バルブ８３が設けられ、この切替バルブ８３が開通された状態でガス送出ブロワ８２を駆動することにより、ガス発生源８０からのガスがガス送出配管８１およびガス導入管２５を介してガス貯留室１１内に導入されるようになっている。
【００２３】
上記ガス導出部２６は、ガス導入管２５より上方位置の基礎円筒体２０の周壁２２に周方向等ピッチで設けられた複数本のガス導出管２６ａと、基礎円筒体２０を取り囲むように設けられ、かつ、各ガス導出管２６ａの先端側が接続された環状管２６ｂと、この環状管２６ｂの適所から径方向の外方に向かって突設された接続管２６ｃとからなっている。
【００２４】
上記接続管２６ｃには、開閉バルブ８５の設けられたガス排出配管８４が接続され、この開閉バルブ８５を閉止した状態でガス送出配管８１側の切替バルブ８３を開通することによりガス貯留室１１内にガスが貯留される一方、ガス排出配管８４側の開閉バルブ８５を開通することによりガス貯留室１１内のガスがガス排出配管８４を通って系外に排出されるようになっている。なお各切替バルブ８３，８５の双方が開通されているときは、これらの開度に応じたガスの収支でガス貯留室１１内のガス量が増減することになる。
【００２５】
ガス導出部２６を、周方向に並設された複数本のガス導出管２６ａを備えて構成することにより、ガス貯留室１１内のガスは、当該ガス貯留室１１内で偏流することなく系外に導出されるため、ガス貯留室１１内のガスの偏流に起因したガス貯留テント５０の萎み具合で偏りが生じることはなく、ガス貯留室１１内のガスの増減に応じて重錘円盤６０は真っ直ぐに昇降することになる。
【００２６】
上記円弧状フレーム３０は、弓なりに湾曲させられたパイプ体によって形成されている。かかる円弧状フレーム３０は、上部フランジ２４の上面にボルト止め等で固定された下部環状フレーム３１に下端部が溶接で固定されているとともに、上端部が測距装置支持架台３３に固定されている。かかる円弧状フレーム３０は、周方向に等ピッチで複数本が採用されて測距装置支持架台３３を介して基礎円筒体２０の上部開口を跨いだ状態になっているとともに、これら複数本の円弧状フレーム３０の包絡面によってドームが形成されている。
【００２７】
また、各円弧状フレーム３０内の上下方向の略中央位置には、当該各円弧状フレーム３０を結ぶように配設された上部環状フレーム３２が設けられ、この上部環状フレーム３２の存在で各円弧状フレーム３０の連結状態が構造的に丈夫なものになっている。
【００２８】
上記測距装置支持架台３３は、図５の（ロ）に示すように、円形の架台本体３４と、この架台本体３４の周縁部から下方に向けて所定上下幅寸法で突設された環状堰３５と、この環状堰３５の外周面から外方に向かって上記円弧状フレーム３０に対応するように周方向等ピッチで突設された複数個のブラケット３６とを備えて構成されている。
【００２９】
そして、各ブラケット３６には上記各円弧状フレーム３０の上端部がボルト止めで固定され、これによって測距装置支持架台３３は、図１〜図３および図５の（ロ）に示すように、各円弧状フレーム３０の上端部に支持された状態になっている。
【００３０】
上記保護シート４０は、布製あるいは合成樹脂製のシート体が採用され、複数本の円弧状フレーム３０からなるドーム形状に対応するようにドーム状に形成されている。かかる保護シート４０は、円弧状フレーム３０に被せられた状態でその下端縁部が上部フランジ２４の下面側に向けて折り返され、この折り返された部分が上部フランジ２４に鋲止めその他で固定されることにより円弧状フレーム３０の外面に張設されている。
【００３１】
このような保護シート４０が円弧状フレーム３０に支持された状態でガス貯留テント５０の外側に張設されることにより、内部のガス貯留テント５０に自然現象である風圧等の外乱が及ばなくなり、ガス貯留テント５０が風に煽られて変形するような不都合が防止される。
【００３２】
上記ガス貯留テント５０は、上記保護シート４０のドーム形状より小さいドーム状に形状設定されている。かかるガス貯留テント５０は、織布の両面に合成樹脂製および合成ゴム製のシートがラミネートされた、いわゆるラミネート織布が採用され、これによって丈夫で、かつ、ガスの透過が起こらないようになされている。
【００３３】
一方、上記上部フランジ２４の内周面側には、内径寸法が周壁２２の内径寸法と略等しい短尺の接続筒２７が上方に向かって突設されているとともに、この接続筒２７の上縁部に外方に向かって突設された頂部フランジ２８が設けられている。
【００３４】
図４は、ガス貯留テント５０の下端縁部の密封係止構造の一実施形態を示す断面視の説明図であり、（イ）は、ガス貯留テント５０の下縁部が基礎円筒体２０の接続筒２７に係止される直前の状態、（ロ）は、ガス貯留テント５０の下縁部が接続筒２７に係止された状態をそれぞれ示している。
【００３５】
図４に示すように、ガス貯留テント５０は、その下縁部が環状の二層構造になっており、内側環状縁部５４と、この内側環状縁部５４の外側に設けられた環状の水切りテント５５とからなっている。内側環状縁部５４は、接続筒２７の内側（図４の接続筒２７の左側）に密着状態で張り付けられるものであり、二本の環状の縫い込みロープ５４ａが上下二段で縫い込まれ、一対の縫い込みロープ５４ａ間の内側環状縁部５４によって環状係止縁部５４ｂが形成されている。
【００３６】
水切りテント５５は、内側環状縁部５４が接続筒２７の内面側に張り付けられた状態で、頂部フランジ２８に被せられるものであり、こうすることによって接続筒２７と内側環状縁部５４との接合部分に雨水等の侵入が防止されるようになっている。
【００３７】
そして、ガス貯留テント５０の下端縁部の密封係止構造は、上記環状係止縁部５４ｂと接続筒２７の内周面との間に介設される環状の第一養生ゴム部材５６と、環状係止縁部５４ｂの内面側に設けられて第一養生ゴム部材５６とで環状係止縁部５４ｂを挟持する第二養生ゴム部材５７と、この第二養生ゴム部材５７の内面側に積層される押え板５８と、これら押え板５８、第二養生ゴム部材５７、環状係止縁部５４ｂ、第一養生ゴム部材５６および接続筒２７を貫通する係止ボルト５９とを備えて構成されている。
【００３８】
頂部フランジ２８の直下の接続筒２７の外面側には、環状補強体２７ａが溶接止めで固定されているとともに、これら環状補強体２７ａおよび接続筒２７には上記係止ボルト５９を挿通する挿通孔２７ｂが穿設され、この挿通孔２７ｂから外部に突出した係止ボルト５９の先端にワッシャを介してナットＮを螺着締結することにより、図４の（ロ）に示すように、ガス貯留テント５０の環状係止縁部５４ｂが接続筒２７の内側に密着状態で係止されるようになっている。
【００３９】
そして、環状係止縁部５４ｂが接続筒２７の内面に密着係止された状態で、水切りテント５５を接続筒２７に被せるようにしてその下端縁部を係止ボルト５９より下方位置に位置させた状態で、予め適所に穿設されている貫通孔を係止ボルト５９の先端に嵌め込み、引き続き係止ボルト５９の先端に別のナットＮを螺着して締結することにより、図４の（ロ）に示すように、基礎円筒体２０の上端部が内側環状縁部５４および水切りテント５５によって覆われた状態になり、これによってガス貯留テント５０内は密封状態が確保されるとともに、ガス貯留テント５０内への水の漏れ込みが確実に防止される。
【００４０】
上記重錘円盤６０は、ガス貯留室１１内のガスが導出されて容量が低下したときに、その重量によってガス貯留テント５０の中央部が陥没した状態で減容させるためと、超音波測距装置７０のターゲットとして用いるものであり、所定径寸法（本実施形態においてはガス貯留テント５０の底面の径寸法の１／１０としている）の金属製の板体によって形成され、ガス貯留テント５０の頂部に基礎円筒体２０の筒心と同心になるように設けられている。
【００４１】
そして、ガス貯留テント５０の外周面には、基礎円筒体２０の筒心と同心になるように、ステンレスチューブ製のリング体５１が取りつけられている。このリング体５１の径寸法は、ガス貯留テント５０の底面の径寸法の略半分とされている。このようなリング体５１をガス貯留テント５０に取り付けることにより、ガス貯留テント５０が萎むときに当該リング体５１より内側のガス貯留テント５０の生地がこのリング体５１に規制されて折り重なるようには変形しないばかりか、リング体５１の外側のガス貯留テント５０の生地が当該リング体５１の内側に規則正しく位置するように折り重なるとともに、折り重なった生地で形成される円形の径寸法が、重錘円盤６０の径寸法より大きくなり、これによって重錘円盤６０が折り重なったガス貯留テント５０の生地に覆われるような不都合が生じないようになっている。
【００４２】
また、基礎円筒体２０内の上部には、一方の内壁面から対向した他方の内壁面に向けて周方向等ピッチで架設された複数本の架設ロッド５２が設けられているとともに、各架設ロッド５２の中央部には上記重錘円盤６０を受けるための受け皿５３が設けられている。従って、ガス貯留室１１内のガスの導出によってガス貯留テント５０が萎むと、これによって真っ直ぐに降下した重錘円盤６０は、図２に示すように受け皿５３上に載置された状態になる。
【００４３】
図５は、超音波測距装置７０の一実施形態を示す斜視図であり、（イ）は、測距装置支持架台３３に装着される前の状態、（ロ）は、測距装置支持架台３３に装着された状態をそれぞれ示している。超音波測距装置７０は、図５の（イ）に示すように、超音波発信回路および超音波受信回路の内装された装置本体７１と、この装置本体７１の下部に外嵌固定されたフランジ７２と、上記装置本体７１と同心で当該装置本体７１からフランジ７２より下部に向けて延設された超音波発信子７３と、この超音波発信子７３を取り囲むように当該超音波発信子７３同心で設けられた、装置本体７１と同径であるか若干小径の超音波受信筒７４とからなる基本構成を有している。
【００４４】
一方、測距装置支持架台３３の架台本体３４中心位置には、図５の（ロ）に示すように、超音波測距装置７０の装置本体７１を摺接状態で挿通し得る中心孔３７が穿設されているとともに、この中心孔３７の周りにはフランジ７２の同心円上に等ピッチで下方に向けて突設されたボルト７１ａを挿通するための挿通孔３８が複数個穿設されている。従って、測距装置支持架台３３の上方から超音波発信子７３、超音波受信筒７４および装置本体７１の下部を中心孔３７に挿通するとともに、ボルト７１ａを挿通孔３８に挿通してナットで締結することにより、図５の（ロ）に示すように、超音波測距装置７０が測距装置支持架台３３に装着された状態になる。
【００４５】
上記のような超音波測距装置７０の構成によれば、超音波受信筒７４の中心位置にある超音波発信子７３から出力された超音波は、下部の重錘円盤６０で反射してその反射音が超音波測距装置７０によって集音される。そして、テント式ガス貯留装置１０の近傍には図略の制御装置が設けられ、この制御装置は、超音波測距装置７０から伝達された情報に基いた超音波発信子７３からの超音波の出力時刻と、超音波受信筒７４が反射音を検出した反射音検出時刻とから超音波の超音波測距装置７０と重錘円盤６０との間の往復時間を算出するとともに、この往復時間に超音波の伝播速度を乗じてから２で除すことにより測距装置支持架台３３および重錘円盤６０間の距離を算出するようになっている。
【００４６】
図６は、ガス貯留テント５０におけるリング体５１の径寸法の設定を説明するための説明図であり、ガス貯留テント５０の中心軸を通る縦断面の右半分を示している。まず、前提条件としてガス貯留テント５０は、最大限に膨らんだ状態で完全な半球状になるものとしている。図６において、ガス貯留テント５０の半径をＲとし、重錘円盤６０の半径をＸ、リング体５１の半径をＹとする。
【００４７】
そして、ガス貯留テント５０が萎んで重錘円盤６０が最下位にまで下降し、これによってガス貯留テント５０の生地が折り畳まれた状態では、リング体５１の内側（図６のリング体５１より左方）部分に生地が三枚重ねで折り重なった状態になっている。この折り重なった生地の左方の曲折点Ｐが重錘円盤６０と互いに干渉しない位置にあるとき、重錘円盤６０は、折り畳まれたガス貯留テント５０によって覆われない。この状態を数式で表現すると、
（Ｘ＋（Ｙ−Ｘ）×３）＋（Ｒ−Ｙ）＝１.５７Ｒ（半径Ｒの１／４円周長）となる。
【００４８】
上記の式を整理し、かつ、リング体５１にガス貯留テント５０の生地が重ならない条件を付加すると、「Ｙ≧０.２８５Ｒ＋Ｘ…▲１▼」が得られる。この▲１▼式を満足するようなＹの値をリング体５１の半径とすることにより、ガス貯留テント５０が萎んで生地が折り重なっても、その生地で重錘円盤６０が覆われるような不都合が回避される。例えば、重錘円盤６０の半径を０．１Ｒに設定したとすると、リング体５１の半径Ｙを、Ｙ＝０．２８５Ｒ＋０．１Ｒ＝０．３８５Ｒより大きくすることにより、重錘円盤６０が折り重なったガス貯留テント５０の生地で覆われることはない。
【００４９】
図７は、本発明のテント式ガス貯留装置１０の作用を説明するための説明図であり、（イ）は、ガス貯留テント５０が最大限に膨らんだ状態、（ロ）は、ガス貯留テント５０が僅かに萎んだ状態、（ハ）は、ガス貯留テント５０が略半分に萎んだ状態、（ニ）は、ガス貯留テント５０が最小限に萎んだ状態をそれぞれ示している。
【００５０】
まず、テント式ガス貯留装置１０のガス貯留室１１内に満量のガスが貯留されているときには、図７の（イ）に示すように、ガス貯留テント５０は最大限に膨らんで半円球状を呈している。この状態でガス貯留テント５０内のガスを若干抜くと、図７の（ロ）に示すように、ガス貯留テント５０は、リング体５１の部分が凹んだ状態になるとともに、頂部も重錘円盤６０の重みで若干沈んだ状態になる。
【００５１】
ついで、ガス貯留テント５０内のガスの略半分を抜き出すと、図７の（ハ）に示すように、リング体５１の外側のガス貯留テント５０の生地が、中心方向に傾きながら上方に向けて膨出した状態になる。
【００５２】
そして、図７の（ハ）に示す状態からガス貯留テント５０内のガスを抜き出してしまうと、図７の（ニ）に示すように、重錘円盤６０が受け皿５３に載置された状態になるとともに、ガス貯留テント５０の生地は、リング体５１の位置で内側に向けて折れ曲がった状態になる。しかし、リング体５１の径寸法は、上記▲１▼式を満足するように設定されているため、折れ曲がった生地で重錘円盤６０が覆われることはなく、従って、超音波測距装置７０から出力された超音波は、確実に重錘円盤６０によって反射されるため、超音波測距装置７０によって当該超音波測距装置７０と重錘円盤６０との間の距離が測定され得なくなるような不都合は確実に防止される。
【００５３】
本発明のテント式ガス貯留装置１０は、以上詳述したように、可撓性を有するシート体によって半円球状に形成されたガス貯留テント５０と、このガス貯留テント５０の頂部外面に設けられた重錘円盤６０と、ガス貯留テント５０内にガスを導入するガス導入管２５と、ガス貯留テント５０内のガスを導出するガス導出部２６とを備えてなるものであり、最大限に膨張したガス貯留テント５０の重錘円盤６０より上方位置に当該重錘円盤６０との間の距離を測定する距離測定装置を設けてなるものであり、距離測定装置によって当該距離測定装置と重錘円盤６０との間の距離が測定されるようになされているため、この測定された距離の大小によってガス貯留テント５０の容量を、従来の萎み具合を目視観察することによる目分量の測定に比べて精度よく計量することができる。特に距離測定装置により測定された距離とガス貯留テント５０の容量との関係式を予め求めておくことにより、測定された距離の値を関係式に代入して計算することによってその時点のガスの容量を正確に知ることができる。
【００５４】
このように、最大限に膨張したガス貯留テント５０の重錘円盤６０より上方位置に当該重錘円盤６０との間の距離を測定する距離測定装置を設けることにより、常にガス貯留テント５０に貯留されているガス量を正確に知ることができるため、この貯留ガス量に基いてガスの需給の調整を的確に行うことが可能になり、ガスの適正な需給バランスを確保することができる。
【００５５】
また、距離測定装置として、重錘円盤６０に向けて超音波を発信し、重錘円盤６０で反射した超音波を受信して発信時と受信時との時間差によって距離を計算するように構成された超音波測距装置７０を採用することにより、距離測定装置と重錘円盤６０との間をロープなどで連結してロープの引出し量から両者間の距離を測るようにしたものに比べてロープの絡みで測距が行い得なくなるような不都合が発生せず、常に正確に距離を測定することができる。
【００５６】
そして、ガス貯留テント５０には、上下方向に延びる中心線と同心のリング体５１を設け、しかも、このリング体５１は、ガス貯留テント５０の収縮によっても当該ガス貯留テント５０の一部が重錘円盤６０に覆い被さることがないように径寸法が設定されているため、ガス貯留テント５０の収縮によっても、重錘円盤６０が萎んだガス貯留テント５０に覆われて距離測定不能になるような不都合を確実に防止することができる。
【００５７】
また、ガス貯留テント５０の外側には、当該ガス貯留テント５０に被さるように配設された複数の円弧状フレーム３０が設けられ、この円弧状フレーム３０に保護シート４０が張られているため、内部のガス貯留テント５０は、風などの気象状況に左右されずに立体形状が安定し、重錘円盤６０が中心位置から外れて距離測定装置と重錘円盤６０との間の離間距離が測定し得なくなるような不都合を回避することができる。
【００５８】
さらに、ガス導出部２６は、ガス貯留テント５０の周方向に等ピッチで配設された複数本のガス導出管２６ａを備えて構成されているため、ガス貯留テント５０に貯留されているガスを導出するに際し、ガス貯留テント５０は、その内部において周方向で内部気流の偏在が生じるような不都合が防止されて周方向で均等に萎んでいき、重錘円盤６０が中心位置から外れて距離測定装置と重錘円盤６０との間の離間距離が測定し得なくなるような不都合を回避することができる。
【００５９】
本発明は、上記の実施形態に限定されるものではなく、以下の内容をも包含するものである。
【００６０】
（１）上記の実施形態においては、ガス発生源８０で発生したメタンガス等のバイオガスを、ガス送出ブロワ８２の駆動でテント式ガス貯留装置１０のガス貯留室１１に導入するようにしているが、本発明は、ガス発生源８０で発生したガスをガス貯留室１１に導入するように構成することに限定されるものではなく、テント式ガス貯留装置１０の基礎円筒体２０内をバイオガスの発生装置として利用し、発生したバイオガスをその上部空間であるガス貯留室１１に貯留するようにしてもよい。但し、テント式ガス貯留装置１０をバイオガスの発生装置として利用する場合には、基礎円筒体２０内にバイオガスの原料を導入するための原料導入構造を設けるとともに、ガスが発生した後の原料の残り滓を系外に排出する系外排出構造を設ける必要がある。
【００６１】
（２）上記の実施形態においては、基礎円筒体２０に周方向に複数本のガス導出管２６ａが設けられ、これらのガス導出管２６ａからのガスの導出によってガス貯留室１１内のガスの偏流をなくすようにしているが、ガスの導出流量が少なくてガス貯留テント５０の萎み具合が不均等になるほどの偏流の生じることがないことが予め判明している場合には、特に複数本のガス導出管２６ａを設けることなく、１本のみを設けるようにしてもよい。
【００６２】
（３）上記の実施形態においては、円弧状フレーム３０に保護シート４０が被せられているが、本発明は、円弧状フレーム３０に保護シート４０を被せることに限定されるものではなく、例えば、テント式ガス貯留装置１０が大きな建造物の中に設けられているような場合には、特に保護シート４０を張設しなくてもよい。
【００６３】
【発明の効果】
請求項１記載の発明によれば、最大限に膨張したガス貯留テントの重錘より上方位置に当該重錘との間の距離を測定する距離測定装置が設けられ、これによって当該距離測定装置と重錘との間の距離が測定されるため、この測定された距離の大小によってガス貯留テントの容量を、従来比べて精度よく計量することができ、この検出された貯留ガス量に基いてガスの需給の調整を的確に行うことが可能になり、ガスの適正な需給バランスを確保することができる。
【００６４】
請求項２記載の発明によれば、距離測定装置として超音波測距装置が採用されて非接触状態で超音波測距装置と重錘との間の距離を測定し得るようになっているため、距離測定装置と重錘との間をロープなどで連結してロープの引出し量から両者間の距離を測るようにしたものに比べてロープの絡みで測距が行い得なくなるような不都合が発生せず、常に正確に距離を測定することができる。
【００６５】
請求項３記載の発明によれば、ガス貯留テントの収縮によっても当該ガス貯留テントの一部が重錘に覆い被さることがないように径寸法が設定されたリング体がガス貯留テントに同心で当該ガス貯留テントに載置されているため、重錘が萎んだガス貯留テントに覆われて距離測定不能になるような不都合を確実に防止することができる。
【００６６】
請求項４記載の発明によれば、ガス貯留テントは、枠体に張られた膜内に収められているため、風などの気象状況に左右されずに安定するため、重錘が中心位置から外れて距離測定装置と重錘との間の離間距離が測定し得なくなるような不都合を回避することができる。
【００６７】
請求項５記載の発明によれば、ガス導出配管は、ガス貯留テントの周方向に等ピッチで複数本が設けられているため、ガス貯留テントに貯留されているガスを導出するに際し、ガス貯留テントは、その内部において周方向で内部気流の偏在が生じるような不都合が防止されて周方向で均等に萎んでいき、重錘が中心位置から外れて距離測定装置と重錘との間の離間距離が測定し得なくなるような不都合を回避することができる。
【図面の簡単な説明】
【図１】本発明に係るテント式ガス貯留装置の一実施形態を示す一部切欠き斜視図であり、ガス貯留テントが膨らんだ状態を示している。
【図２】本発明に係るテント式ガス貯留装置の一実施形態を示す一部切欠き斜視図であり、ガス貯留テントが萎んだ状態を示している。
【図３】図１のＡ−Ａ線断面図である。
【図４】ガス貯留テントの下端縁部の密封係止構造の一実施形態を示す断面視の説明図であり、（イ）は、ガス貯留テントの下縁部が基礎円筒体の接続筒に係止される直前の状態、（ロ）は、ガス貯留テントの下縁部が接続筒に係止された状態をそれぞれ示している。
【図５】超音波測距装置の一実施形態を示す斜視図であり、（イ）は、測距装置支持架台に装着される前の状態、（ロ）は、測距装置支持架台に装着された状態をそれぞれ示している。
【図６】ガス貯留テントにおけるリング体の径寸法の設定を説明するための説明図であり、ガス貯留テントの中心軸を通る縦断面の右半分を示している。
【図７】本発明のテント式ガス貯留装置の作用を説明するための説明図であり、（イ）は、ガス貯留テントが最大限に膨らんだ状態、（ロ）は、ガス貯留テントが僅かに萎んだ状態、（ハ）は、ガス貯留テントが略半分に萎んだ状態、（ニ）は、ガス貯留テントが最小限に萎んだ状態をそれぞれ示している。
【符号の説明】
１０  テント式ガス貯留装置  １１  ガス貯留室
２０  基礎円筒体            ２１  底板
２２  周壁                  ２３  下部フランジ
２４  上部フランジ          ２５  ガス導入管
２６  ガス導出部            ２６ａ  ガス導出管
２６ｂ  環状管              ２６ｃ  接続管
２７  接続筒                ２８  頂部フランジ
３０  円弧状フレーム        ３１  下部環状フレーム
３２  上部環状フレーム      ３３  測距装置支持架台
３４  架台本体              ３５  環状堰
３６  ブラケット            ３７  中心孔
３８  挿通孔                ４０  保護シート
５０  ガス貯留テント        ５１  リング体
５２  架設ロッド            ５３  受け皿
５４  内側環状縁部          ５４ａ  縫い込みロープ
５４ｂ  環状係止縁部        ５５  水切りテント
５６  第一養生ゴム部材      ５７  第二養生ゴム部材
５８  押え板                ５９  係止ボルト
６０  重錘円盤              ７０  超音波測距装置
７１  装置本体              ７２  フランジ
７３  超音波発信子          ７４  超音波受信筒
８０  ガス発生源            ８１  ガス送出配管
８２  ガス送出ブロワ        ８３  切替バルブ
８４  ガス排出配管          ８５  開閉バルブ
【図１】
0004705738.tif 000002
【図２】
0004705738.tif 000003
【図３】
0004705738.tif 000004
【図４】
0004705738.tif 000005
【図５】
0004705738.tif 000006
【図６】
0004705738.tif 000007
【図７】
0004705738.tif 000008